(57)【特許請求の範囲】
【請求項１】
複数のパラレル信号を生成するフレーマと、前記フレーマが生成した複数のパラレル信号を光サブキャリアによりマルチキャリア伝送する複数の送信機とを有する光信号送信部を複数備える光伝送装置であって、
故障が発生した前記送信機が光サブキャリアの送信に使用している波長の使用を切替先の前記送信機に指示する波長切替部を備え、
故障が発生した前記送信機を有する前記光信号送信部である第一光信号送信部の前記フレーマは、
１以上のクライアントから受信したクライアント信号の一部を、切替先の前記送信機を備える前記光信号送信部である第二光信号送信部に出力し、受信した前記クライアント信号から前記第二光信号送信部に出力した一部の前記クライアント信号を除いた前記クライアント信号に基づいてパラレル信号を生成し、前記クライアント信号が設定された前記パラレル信号を前記第一光信号送信部の故障が発生していない前記送信機に出力する第一光信号生成部を備え、
前記第二光信号送信部の前記フレーマは、
前記第一光信号送信部の前記フレーマから受信した前記クライアント信号に基づいてパラレル信号を生成し、生成した前記パラレル信号を切替先の前記送信機に出力する第二光信号生成部を備え、
前記第一光信号生成部は、
受信した前記クライアント信号から前記第二光信号送信部に出力した一部の前記クライアント信号を除いた前記クライアント信号を、ＯＴＵＣｎ（Optical channel Transport Unit-Cn）の信号フレーム内のタイムスロットのうち、前記第一光信号送信部の故障が発生していない前記送信機に対応した前記タイムスロットに設定する第一多重処理部と、
前記第一多重処理部により前記クライアント信号が設定された前記信号フレームを当該信号フレーム内の前記タイムスロットが対応する前記送信機に基づいて分割して前記第一光信号送信部の故障が発生していない前記送信機それぞれに対応したパラレル信号を生成し、前記クライアント信号が設定された前記パラレル信号を対応する前記送信機に出力する第一パラレル信号生成部とを備え、
前記第二光信号生成部は、
前記第一光信号送信部の前記フレーマから受信した前記クライアント信号を、ＯＴＵＣｎの信号フレーム内のタイムスロットのうち、前記第二光信号生成部が備える切替先の前記送信機に対応した前記タイムスロットに設定する第二多重処理部と、
前記第二多重処理部により前記クライアント信号が設定された前記信号フレームを当該信号フレーム内の前記タイムスロットが対応する前記送信機に基づいて分割して前記第二光信号送信部が備える切替先の前記送信機に対応したパラレル信号を生成し、前記クライアント信号が設定された前記パラレル信号を対応する切替先の前記送信機に出力する第二パラレル信号生成部とを備える、
ことを特徴とする光伝送装置。
【請求項２】
前記クライアントのパスは前記信号フレーム内の前記タイムスロットに割当てられており、
前記第一多重処理部は、前記信号フレームにおいて故障が発生した前記送信機に対応した前記タイムスロットにパスが割当てられている前記クライアントのクライアント信号を前記第二光信号送信部に出力する、
ことを特徴とする請求項１に記載の光伝送装置。
【請求項３】
前記第一多重処理部及び前記第二多重処理部は、前記信号フレームにおいて故障が発生した前記送信機に対応した前記タイムスロットに割当てられている前記クライアントのパスの割当先を、前記第二光信号生成部が使用する前記信号フレーム内の切替先の前記送信機に対応した前記タイムスロットに変更する、
ことを特徴とする請求項２に記載の光伝送装置。
【請求項４】
受信側の光伝送装置から障害が発生した光サブキャリアの情報を受信して障害が発生した前記光サブキャリアを使用している前記送信機の故障の発生を検出し、故障が発生した前記送信機と切替先の前記送信機との情報を前記第一光信号送信部に通知する障害検出部を備える、
ことを特徴とする請求項１から請求項３のいずれか１項に記載の光伝送装置。
【請求項５】
カラーレス機能を有し、複数の前記送信機のそれぞれから出力された前記光サブキャリアを合波する波長多重機能部を備える、
ことを特徴とする請求項１から請求項４のいずれか１項に記載の光伝送装置。
【請求項６】
複数の前記送信機のそれぞれは、前記光サブキャリアを前記波長多重機能部に出力するポートを備える、
ことを特徴とする請求項５に記載の光伝送装置。
【請求項７】
複数のパラレル信号を生成するフレーマと、前記フレーマが生成した複数のパラレル信号を光サブキャリアによりマルチキャリア伝送する複数の送信機とを有する光信号送信部を複数備える光伝送装置が実行する光信号伝送方法であって、
前記光伝送装置が、故障が発生した前記送信機が光サブキャリアの送信に使用している波長の使用を切替先の前記送信機に指示する波長切替ステップと、
故障が発生した前記送信機を有する前記光信号送信部である第一光信号送信部の前記フレーマに備えられた第一光信号生成部が、１以上のクライアントから受信したクライアント信号の一部を、切替先の前記送信機を備える前記光信号送信部である第二光信号送信部に出力し、受信した前記クライアント信号から前記第二光信号送信部に出力した一部の前記クライアント信号を除いた前記クライアント信号に基づいてパラレル信号を生成し、前記クライアント信号が設定された前記パラレル信号を前記第一光信号送信部の故障が発生していない前記送信機に出力する第一信号生成ステップと、
前記第二光信号送信部の前記フレーマに備えられた第二光信号生成部が、前記第一光信号送信部の前記フレーマから受信した前記クライアント信号に基づいてパラレル信号を生成し、生成した前記パラレル信号を切替先の前記送信機に出力する第二信号生成ステップと、
を有し、
前記第一信号生成ステップは、
前記第一光信号生成部に備えられた第一多重処理部が、受信した前記クライアント信号から前記第二光信号送信部に出力した一部の前記クライアント信号を除いた前記クライアント信号を、ＯＴＵＣｎ（Optical channel Transport Unit-Cn）の信号フレーム内のタイムスロットのうち、前記第一光信号送信部の故障が発生していない前記送信機に対応した前記タイムスロットに設定する第一多重処理ステップと、
前記第一光信号生成部に備えられた第一パラレル信号生成部が、前記第一多重処理ステップにおいて前記クライアント信号が設定された前記信号フレームを当該信号フレーム内の前記タイムスロットが対応する前記送信機に基づいて分割して前記第一光信号送信部の故障が発生していない前記送信機それぞれに対応したパラレル信号を生成し、前記クライアント信号が設定された前記パラレル信号を対応する前記送信機に出力する第一パラレル信号生成ステップとを有し、
前記第二信号生成ステップは、
前記第二光信号生成部に備えられた第二多重処理部が、前記第一光信号送信部の前記フレーマから受信した前記クライアント信号を、ＯＴＵＣｎの信号フレーム内のタイムスロットのうち、前記第二光信号生成部が備える切替先の前記送信機に対応した前記タイムスロットに設定する第二多重処理ステップと、
前記第二光信号生成部に備えられた第二パラレル信号生成部が、前記第二多重処理ステップにおいて前記クライアント信号が設定された前記信号フレームを当該信号フレーム内の前記タイムスロットが対応する前記送信機に基づいて分割して前記第二光信号送信部が備える切替先の前記送信機に対応したパラレル信号を生成し、前記クライアント信号が設定された前記パラレル信号を対応する切替先の前記送信機に出力する第二パラレル信号生成ステップとを有する、
ことを特徴とする光信号伝送方法。
【発明の詳細な説明】
【技術分野】
【０００１】
本発明は、光伝送装置、及び光信号伝送方法に関する。
【背景技術】
【０００２】
大容量の広域光転送網であるＯＴＮ（Optical Transport Network）では、ＳＤＨ（Synchronous Digital Hierarchy）やイーサネット（登録商標）などの様々なクライアント信号を収容して転送する。近年では、クライアント信号のトラヒックの増加が顕著であり、それに伴いＯＴＮも高速化に対応するよう標準化が進められてきた（例えば、非特許文献１参照）。そして現在では、１００Ｇ超（Ｂ１００Ｇ、Ｇはギガビット毎秒）のＯＴＮ技術であるＯＴＵＣｎ（Ｃｎは１００Ｇ×ｎを表す。）が検討されている（例えば、非特許文献２参照）。ＯＴＵＣｎでは、１光チャネルの伝送容量が従来のＯＴＵよりも広帯域となる。しかし、光信号の送受信機に用いられる電子回路の動作速度の関係から、これまでのように１光チャネルの帯域においてシングルキャリア伝送を拡張して大容量化を図ることは困難である。そこで、ＯＴＵＣｎでは、１光チャネルの帯域において複数の光サブキャリアを用いたマルチキャリア伝送によって大容量化を実現する。
【先行技術文献】
【非特許文献】
【０００３】
【非特許文献１】"Interfaces for the optical transport network", ITU-T G.709/Y.1331, February 2012.
【非特許文献２】大原  拓也，「ＯＴＮインタフェース技術および標準化動向」，２０１４  電子情報通信学会総合大会  通信講演論文集２，ＢＩ−５−１，ＳＳ−４７−ＳＳ−４８，２０１４年３月
【発明の概要】
【発明が解決しようとする課題】
【０００４】
ＯＴＵＣｎのフレーマは、ペイロード容量がｎ×１００ＧのＯＴＵＣｎ（Optical channel Transport Unit-Cn）の電気信号をインタリーブし、ペイロード容量が１００Ｇのパラレル信号であるＯＴＬＣｎ．ｎ（Optical channel Transport Lane-Cn.n）をｎ個生成する。フレーマが生成した１光チャネル分のｎ個のパラレル信号は、複数の光サブキャリアを用いたマルチキャリア伝送のため、複数の送信機により光信号に変換される。従って、１台の送信機により１光チャネルの信号を伝送するシングルキャリア伝送よりも、１光チャネル当たりの送信機の故障発生率が上がる可能性がある。
【０００５】
上記事情に鑑み、本発明は、複数のパラレル信号を複数の送信機によりマルチキャリア伝送する場合に送信機の故障に対する信頼性を向上させることができる光伝送装置、及び光信号伝送方法を提供することを目的としている。
【課題を解決するための手段】
【０００６】
本発明の一態様は、複数のパラレル信号を生成するフレーマと、前記フレーマが生成した複数のパラレル信号を光サブキャリアによりマルチキャリア伝送する複数の送信機とを有する光信号送信部を複数備える光伝送装置であって、故障が発生した前記送信機が光サブキャリアの送信に使用している波長の使用を切替先の前記送信機に指示する波長切替部を備え、故障が発生した前記送信機を有する前記光信号送信部である第一光信号送信部の前記フレーマは、１以上のクライアントから受信したクライアント信号の一部を、切替先の前記送信機を備える前記光信号送信部である第二光信号送信部に出力し、受信した前記クライアント信号から前記第二光信号送信部に出力した一部の前記クライアント信号を除いた前記クライアント信号に基づいてパラレル信号を生成し、前記クライアント信号が設定された前記パラレル信号を前記第一光信号送信部の故障が発生していない前記送信機に出力する第一光信号生成部を備え、前記第二光信号送信部の前記フレーマは、前記第一光信号送信部の前記フレーマから受信した前記クライアント信号に基づいてパラレル信号を生成し、生成した前記パラレル信号を切替先の前記送信機に出力する第二光信号生成部を備える、ことを特徴とする光伝送装置である。
【０００７】
本発明の一態様は、上述した光伝送装置であって、前記第一光信号生成部は、受信した前記クライアント信号から前記第二光信号送信部に出力した一部の前記クライアント信号を除いた前記クライアント信号を、信号フレーム内のタイムスロットのうち、前記第一光信号送信部の故障が発生していない前記送信機に対応した前記タイムスロットに設定する第一多重処理部と、前記第一多重処理部により前記クライアント信号が設定された前記信号フレームを分割して複数のパラレル信号を生成し、前記クライアント信号が設定された前記パラレル信号を故障が発生していない前記送信機に出力する第一パラレル信号生成部とを備え、前記第二光信号生成部は、前記第一光信号送信部の前記フレーマから受信した前記クライアント信号を、信号フレーム内のタイムスロットのうち、切替先の前記送信機に対応した前記タイムスロットに設定する第二多重処理部と、前記第二多重処理部により前記クライアント信号が設定された前記信号フレームを分割して複数のパラレル信号を生成し、前記クライアント信号が設定された前記パラレル信号を切替先の前記送信機に出力する第二パラレル信号生成部とを備える、ことを特徴とする。
【０００８】
本発明の一態様は、上述した光伝送装置であって、前記クライアントのパスは前記信号フレーム内の前記タイムスロットに割当てられており、前記第一多重処理部は、前記信号フレームにおいて故障が発生した前記送信機に対応した前記タイムスロットにパスが割当てられている前記クライアントのクライアント信号を前記第二光信号送信部に出力する、ことを特徴とする。
【０００９】
本発明の一態様は、上述した光伝送装置であって、前記第一多重処理部及び前記第二多重処理部は、前記信号フレームにおいて故障が発生した前記送信機に対応した前記タイムスロットに割当てられている前記クライアントのパスの割当先を、前記第二光信号生成部が使用する前記信号フレーム内の切替先の前記送信機に対応した前記タイムスロットに変更する、ことを特徴とする。
【００１０】
本発明の一態様は、上述した光伝送装置であって、受信側の光伝送装置から障害が発生した光サブキャリアの情報を受信して障害が発生した前記光サブキャリアを使用している前記送信機の故障の発生を検出し、故障が発生した前記送信機と切替先の前記送信機との情報を前記第一光信号送信部に通知する障害検出部を備える、ことを特徴とする。
【００１１】
本発明の一態様は、上述した光伝送装置であって、カラーレス機能を有し、複数の前記送信機のそれぞれから出力された前記光サブキャリアを合波する波長多重機能部を備える、ことを特徴とする。
【００１２】
本発明の一態様は、上述した光伝送装置であって、複数の前記送信機のそれぞれは、前記光サブキャリアを前記波長多重機能部に出力するポートを備える、ことを特徴とする。
【００１３】
本発明の一態様は、複数のパラレル信号を生成するフレーマと、前記フレーマが生成した複数のパラレル信号を光サブキャリアによりマルチキャリア伝送する複数の送信機とを有する光信号送信部を複数備える光伝送装置が実行する光信号伝送方法であって、前記光伝送装置が、故障が発生した前記送信機が光サブキャリアの送信に使用している波長の使用を切替先の前記送信機に指示する波長切替ステップと、故障が発生した前記送信機を有する前記光信号送信部である第一光信号送信部の前記フレーマが、１以上のクライアントから受信したクライアント信号の一部を、切替先の前記送信機を備える前記光信号送信部である第二光信号送信部に出力し、受信した前記クライアント信号から前記第二光信号送信部に出力した一部の前記クライアント信号を除いた前記クライアント信号に基づいてパラレル信号を生成し、前記クライアント信号が設定された前記パラレル信号を前記第一光信号送信部の故障が発生していない前記送信機に出力する第一信号生成ステップと、前記第二光信号送信部の前記フレーマが、前記第一光信号送信部の前記フレーマから受信した前記クライアント信号に基づいてパラレル信号を生成し、生成した前記パラレル信号を切替先の前記送信機に出力する第二信号生成ステップと、を有することを特徴とする光信号伝送方法である。
【発明の効果】
【００１４】
本発明により、複数のパラレル信号を複数の送信機によりマルチキャリア伝送する場合に送信機の故障に対する信頼性を向上させることができる。
【図面の簡単な説明】
【００１５】
【図１】本発明の実施形態を適用可能なフレーマの機能ブロック図である。
【図２】ＯＴＵＣｎのフレーム構造を示す図である。
【図３】ＯＴＬＣｎ．ｎのフレーム構造を示す図である。
【図４】光信号の伝送に用いられる光チャネルを示す図である。
【図５】本発明の一実施形態による光伝送装置の構成例を示す図である。
【図６】通常運用状態におけるＯＤＵＣｎフレームへのパスのマッピングの例を示す図である。
【図７】光ＳＣ送受信機故障時のＯＤＵＣｎフレームへのパスのマッピングの例を示す図である。
【図８】複数光ＳＣ送受信機故障時のＯＤＵＣｎフレームへのパスのマッピングの例を示す図である。
【図９】複数のパラレル信号を１光サブキャリアで送信する場合の通常運用状態におけるＯＤＵＣｎフレームへのパスのマッピングの例を示す図である。
【図１０】複数のパラレル信号を１光サブキャリアで送信する場合の光ＳＣ送受信機故障時のＯＤＵＣｎフレームへのパスのマッピングの例を示す図である。
【図１１】ＮＮＩカードの構成を示す機能ブロック図である。
【図１２】トランスポンダの構成を示す機能ブロック図である。
【図１３】光ＳＣ送受信機故障時の送信側の光伝送装置の処理フローである。
【発明を実施するための形態】
【００１６】
以下、図面を参照して本発明の実施形態を説明する。
図１は、本発明の実施形態を適用可能なＯＴＮフレーマ８００の機能ブロック図である。同図に示すＯＴＮフレーマ８００は、１００Ｇ超（Ｂ１００Ｇ、Ｇはギガビット毎秒）の伝送を行うためのＯＴＮ（Optical Transport Network）の規格であるＯＴＵＣｎ（Ｃｎは１００Ｇ×ｎを表す。ｎは２以上の整数。）により通信を行う。同図においては、ｎ＝４の場合、すなわち、ＯＴＮフレーマ８００がＯＴＵＣ４により通信を行う場合の例を示している。
【００１７】
ＯＴＮトランスポート技術では、様々な通信方式のクライアント信号を収容し、光伝送により転送する。ＯＴＮでは、固定フレーム構造を利用し、ＧｂＥ（ギガビット・イーサネット（登録商標））を収容できる最小単位のＯＤＵ０（ＯＤＵ：Optical Channel Data Unit）により、１．２５ＧのＴＳ（Tributary Slot、タイムスロットともいう。）単位で（すなわち、その倍数により）クライアント信号を扱う。ＯＴＮは、ＳＤＨ（Synchronous Digital Hierarchy）と同様のパス管理、ＯＡＭ（Operations, Administration, Maintenance）機能、プロテクション機能を提供する。
【００１８】
ＯＴＮフレーマ８００は、複数のクライアント信号が多重されたｎ×１００Ｇの１光チャネルの信号を分離し、ｎ個の１００Ｇのパラレル信号を生成する。これらのｎ個のパラレル信号は複数の光サブキャリアによりマルチキャリア伝送されるが、物理的には、１つのパラレル信号が１つの光サブキャリアにより伝送されてもよく、複数のパラレル信号が１つの光サブキャリアにより伝送されてもよい。マルチキャリア伝送とは、１チャネルの信号を複数のサブキャリア（搬送波）を使ってパラレル伝送することにより、１チャネルを大容量化する通信方式である。マルチキャリア伝送では、対地（接続先）ごとにサブキャリアを高密度多重し、電気的に分離する。１つのパラレル信号が１つの光サブキャリアにより伝送される場合、その光サブキャリアの帯域は１００Ｇであり、２つのパラレル信号が１つの光サブキャリアにより伝送される場合、その光サブキャリアの帯域は２００Ｇである。光伝送には、４ＳＣ−ＤＰ−ＱＰＳＫ（4 Subcarrier-Dual Polarization-Quadrature Phase Shift Keying）や、２ＳＣ−ＤＰ−１６ＱＡＭ（2 Subcarrier-Dual Polarization-Quadrature Amplitude Modulation）などが用いられる。
【００１９】
図１に示すように、ＯＴＮフレーマ８００は、送信処理部１１０と受信処理部１５０とを備える。
送信処理部１１０は、クライアント信号受信部１２０と、多重処理部１３０と、ライン側送信処理部１４０とを備える。
【００２０】
クライアント信号受信部１２０は、受信部１２１と、マッピング部１２２と、ＯＨ処理部１２３とを備える。
受信部１２１は、クライアント信号を受信する。マッピング部１２２は、受信部１２１が受信した１クライアント信号をＬＯ  ＯＤＵ（Lower Order Optical Channel Data Unit）フレームのペイロードにマッピングする。ＯＨ処理部１２３は、マッピング部１２２がクライアント信号を設定したＬＯ  ＯＤＵフレームにＯＨ（オーバーヘッド）を付加する。ＯＨ処理部１２３は、ＬＯ  ＯＤＵフレームの電気パス信号を、ＯＤＵ−スイッチ（以下、「ＯＤＵ−ＳＷ」と記載）２１０に出力する。ＯＤＵ−ＳＷ２１０は、他のＯＴＮフレーマ８００とも接続されており、電気パス信号のパス交換を行う。
【００２１】
多重処理部１３０は、多重化部１３１とフレーミング部１３２とを備える。多重化部１３１は、ＯＤＵ−ＳＷ２１０から受信した電気パス信号をＬＯ  ＯＤＵフレームに設定する。多重処理部１３０は、ＬＯ  ＯＤＵフレームを一旦ＯＤＴＵ（Optical Channel Data Tributary Unit）フレームにマッピングした後、複数のＯＤＴＵフレームを時間多重してＨＯ  ＯＤＵ（Higher Order ODU）であるＯＤＵＣｎフレームを生成する。フレーミング部１３２は、多重処理部１３０が生成したＯＤＵＣｎフレームにＯＨとＦＥＣ（Forward Error Correction：前方誤り訂正）を付加してＯＴＵＣｎフレームを生成する。フレーミング部１３２は、ＯＴＵＣｎフレームの信号をライン側送信処理部１４０に出力する。
【００２２】
ライン側送信処理部１４０は、インタリーブ部１４１と、ＯＨ処理部１４２−１〜１４２−ｎと、マルチレーン送信部１４３−１〜１４３−ｎとを備える。
インタリーブ部１４１は、多重処理部１３０からＯＴＵＣｎフレームの信号を受信し、受信したｎ×１００ＧのＯＴＵＣｎフレームの信号をバイトインタリーブして、ｎ個のＯＴＬＣｎ．ｎフレームの信号を生成する。ＯＴＬＣｎ．ｎフレームは、１００Ｇのパラレル信号のフレームである。ｉ個目のＯＴＬＣｎ．ｎフレームを、ＯＴＬＣｎ．ｎ＃ｉフレーム（ｉは１以上ｎ以下の整数）と記載する。インタリーブ部１４１は、生成したｎ個のＯＴＬＣｎ．ｎ＃ｉフレームをそれぞれＯＨ処理部１４２−ｉに出力する。
【００２３】
ＯＨ処理部１４２−１〜１４２−ｎは、インタリーブ部１４１から受信したＯＴＬＣｎ．ｎフレームにＯＨを設定する。ＯＨ処理部１４２−ｉは、ＯＨを設定したＯＴＬＣｎ．ｎ＃ｉフレームを、マルチレーン送信部１４３−ｉに出力する。
マルチレーン送信部１４３−１〜１４３−ｎは、ＯＨ処理部１４２−１〜１４２−ｎから受信したＯＴＬＣｎ．ｎフレームのパラレル信号を送信機２２０に出力する。例えば、マルチレーン送信部１４３−ｉは、４本の２８Ｇの電気配線を使用してパラレルにＯＴＬＣｎ．ｎ＃ｉフレームのパラレル信号を送信機２２０に出力する。各送信機２２０は、それぞれ異なる光周波数の光サブキャリアを使用する。送信機２２０は、受信したパラレル信号を電気信号から光信号に変換し、マルチキャリア伝送する。なお、複数のマルチレーン送信部１４３−ｉが１つの送信機２２０に接続されてもよい。ｊ個（ｊは２以上ｎ以下）のマルチレーン送信部１４３−ｉが１つの送信機２２０に接続される場合、その送信機２２０は、ｊ×１００Ｇの光サブキャリアによりｊ個のパラレル信号を伝送する。
【００２４】
受信処理部１５０は、ライン側受信処理部１６０と、分離処理部１７０と、クライアント信号送信部１８０とを備える。
【００２５】
ライン側受信処理部１６０は、マルチレーン受信部１６１−１〜１６１−ｎと、ＯＨ処理部１６２−１〜１６２−ｎと、デインタリーブ部１６３とを備える。
マルチレーン受信部１６１−１〜１６１−ｎは、受信機２３０がマルチキャリア伝送により受信した光信号を電気信号により受信する。受信機２３０は、それぞれ異なる光周波数の光サブキャリアにより光信号を受信する。マルチレーン受信部１６１−ｉは、例えば４本の２８Ｇの電気配線を使用して受信機２３０からパラレルに受信した電気信号を、ＯＨ処理部１６２−ｉに出力する。
【００２６】
ＯＨ処理部１６２−１〜１６２−ｎは、受信した信号からＯＴＬＣｎ．ｎフレームのＯＨに設定されているＦＡＳ（frame alignment signal）やＭＦＡＳ（multiframe alignment signal）に基づいてフレームの先頭を認識する。ＯＨ処理部１６２−ｉは、先頭位置を検出することにより、遅延時間差を補償して受信信号からＯＴＬＣｎ．ｎ＃ｉフレームを抽出し、デインタリーブ部１６３に出力する。
デインタリーブ部１６３は、ＯＨ処理部１６２−１〜１６２−ｎから受信したＯＴＬＣｎ．ｎ＃１フレーム〜ＯＴＬＣｎ．ｎ＃ｎフレームをデインタリーブし、１つのＯＴＵＣｎフレームを生成する。
【００２７】
分離処理部１７０は、デフレーミング部１７１及び逆多重化部１７２を備える。
デフレーミング部１７１は、デインタリーブ部１６３が生成したＯＴＵＣｎフレームの信号をＦＥＣ復号し、復号したＯＴＵＣｎフレームからＬＯ  ＯＤＵフレームが時間多重されたＯＤＵＣｎフレームを抽出して逆多重化部１７２に出力する。
逆多重化部１７２は、デフレーミング部１７１が抽出したＯＤＵＣｎフレームの信号から各クライアント信号が設定されたＬＯ  ＯＤＵフレームを抽出し、ＬＯ  ＯＤＵフレームの電気パス信号をＯＤＵ−ＳＷ２１０に出力する。
【００２８】
クライアント信号送信部１８０は、ＯＨ処理部１８１と、デマッピング部１８２と、送信部１８３とを備える。
ＯＨ処理部１８１は、ＯＤＵ−ＳＷ２１０から電気パス信号を受信し、受信した電気パス信号からＬＯ  ＯＤＵフレームを復号する。ＯＨ処理部１８１は、ＬＯ  ＯＤＵフレームに対してＯＨに関する処理を行い、デマッピング部１８２に出力する。
デマッピング部１８２は、ＯＨ処理部１８１からＬＯ  ＯＤＵフレームの電気パス信号を受信し、受信した電気パス信号からクライアント信号を抽出して送信部１８３に出力する。
送信部１８３は、デマッピング部１８２が抽出したクライアント信号を送信する。
【００２９】
なお、クライアント信号受信部１２０と多重処理部１３０、及び、分離処理部１７０とクライアント信号送信部１８０がＯＤＵ−ＳＷ２１０を介さずに接続されてもよい。
【００３０】
図２は、ＯＴＵＣｎのフレーム構造を示す図である。
ＯＴＵＣｎは、ＯＤＵＣｎに、ＦＡＣｎ  ＯＨ、ＯＴＵＣｎ  ＯＨ、ＯＰＵＣｎ  ＯＨ、及び、ＯＴＵＣｎＦＥＣを付加して生成される。ＯＴＵＣｎは、４行、４０８０×ｎ列で標記される。
ＯＴＵＣｎの（１６×ｎ＋１）〜３８２４×ｎ列目のＯＰＵＣｎペイロード（Payload）には、クライアント信号がマッピングされる。ＯＴＵＣｎフレームの１〜１６×ｎ列目には、ＯＨが設定される。１行目の１〜７×ｎ列目には、ＦＡＣｎ  ＯＨが設定される。ＦＡＣｎ  ＯＨは、フレーム同期に必要な情報を含む。（７×ｎ＋１）〜１４×ｎ列目には光チャネルのセクション監視情報を収容するＯＴＵＣｎ  ＯＨが挿入される。２〜４行目の１〜１４×ｎ列目には、ＯＤＵＣｎ  ＯＨが挿入され、光チャネルのパス管理運用情報を収容する。（１４×ｎ＋１）〜１６×ｎ列目には、ＯＰＵＣｎ  ＯＨが挿入され、クライアント信号のマッピング／デマッピングに必要な情報などが収容される。３８２４×ｎ＋１〜４０８０×ｎ列目のＯＰＵＣｎ  ＦＥＣには、ＦＥＣ用のパリティチェックバイトが付加される。
【００３１】
図３は、ＯＴＬＣｎ．ｎのフレーム構造を示す図である。
ＯＴＬＣｎ．ｎは、４行、４０８０列で標記される。ＯＴＬＣｎ．ｎ＃１〜ＯＴＬＣｎ．ｎ＃ｎは、バイトインタリーブによりＯＴＵＣｎフレームを分割して得られる。
ＯＴＵＣｎのＯＰＵＣｎペイロードは、ＯＴＬＣｎ．ｎ＃ｉの１７〜３８２４列目のＯＰＵＣｎ．ｎ＃ｉペイロードにマッピングされる。
ＯＴＬＣｎ．ｎ＃ｉの１〜１６列目には、ＯＨが設定される。ＯＴＬＣｎ．ｎ＃ｉのＯＨは、ＯＴＵＣｎ  ＯＨ等に基づいて設定される。１行目の１〜７列目には、ＦＡＬＣｎ．ｎ＃ｉ  ＯＨが設定される。ＦＡＬＣｎ．ｎ＃ｉ  ＯＨは、ＦＡＳやＭＦＡＳなど、フレーム同期に必要な情報を含む。８〜１４列目には、光チャネルのセクション監視情報を収容するＯＴＬＣｎ．ｎ＃ｉ  ＯＨが挿入される。２〜４行目の１〜１４×ｎ列目には、ＯＤＬＣｎ．ｎ＃ｉ  ＯＨが挿入され、光チャネルのパス管理運用情報を収容する。１５〜１６列目には、ＯＰＬＣｎ．ｎ＃ｉ  ＯＨが挿入され、クライアント信号のマッピング／デマッピングに必要な情報などが収容される。３８２５〜４０８０列目のＯＴＵＣ＃ｉ  ＦＥＣには、ＦＥＣ用のパリティチェックバイトが付加される。
【００３２】
図４は、光信号の伝送に用いられる光チャネルを示す図である。
図４（ａ）は、４００Ｇの光信号を１光周波数（シングルキャリア）によりシリアル伝送する場合の光チャネルを示す図であり、図４（ｂ）は、４００Ｇの光信号を４つの光サブキャリアによりパラレル伝送（マルチキャリア伝送）する場合の光チャネルを示す図である。
従来の電子回路では、動作速度の制約から、図４（ａ）に示すように、１光周波数によりシリアル伝送することができる帯域を、１００Ｇを超えて拡張し続けていくことは困難である。そこでＯＴＵＣｎでは、１００Ｇ超の帯域を複数の光サブキャリアによりパラレル伝送することにより、電子回路の制約を受けずに広帯域伝送を実現する。このパラレル伝送には、偏波多重、多値変調などが用いられる。変調方式によって、光サブキャリアの帯域は異なる。
図４（ｂ）は、４００Ｇの１光チャネルを、１００Ｇの４光サブキャリアによりパラレル伝送した場合の例であり、図４（ｃ）は、４００Ｇの１光チャネルを、２００Ｇの２光サブキャリアによりパラレル伝送した場合の例である。また、ｎを変化させることにより、図４（ｄ）に示すように、１００Ｇ単位で伝送帯域を増加させていくことができるフレキシビリティを有する。
【００３３】
図５は、本発明の一実施形態による光伝送装置５０の構成例を示す図である。
光伝送装置５０は、ＯＤＵクロスコネクト機能部５１、光伝送機能部５５、及び、監視制御部６０を備える。
ＯＤＵクロスコネクト機能部５１において、１以上のＵＮＩ（ユーザ−ネットワークインタフェース）カード５２と、１以上のＮＮＩ（ネットワーク−ネットワークインタフェース）カード５４とは、ＯＤＵ−ＸＣ（クロスコネクト）５３により接続される。ＵＮＩカード５２は、それぞれの通信規格により、クライアント側の通信機器と接続される。ＵＮＩカード５２のＯＴＮフレーマ５２１は、図１に示すＯＴＮフレーマ８００のクライアント信号受信部１２０及びクライアント信号送信部１８０の機能を有する。ＯＤＵ−ＸＣ５３は、図１に示すＯＤＵ−ＳＷ２１０に相当する。ＮＮＩカード５４は、ＯＴＮフレーマ５４１と複数の光ＳＣ（サブキャリア）送受信機５４２を備える。ＯＴＮフレーマ５４１は、図１に示すＯＴＮフレーマ８００の多重処理部１３０、ライン側送信処理部１４０、ライン側受信処理部１６０、及び分離処理部１７０の機能を有する。光ＳＣ送受信機５４２は、図１に示す送信機２２０及び受信機２３０の機能を有する。光ＳＣ送受信機５４２は、例えば、ＤＳＰ（Digital Signal Processor）を備えて構成される。各光ＳＣ送受信機５４２はそれぞれ１つのポートにより光信号を出力する。
【００３４】
光伝送機能部５５は、トランスポンダ５６、合分波器５７、波長ＸＣ（クロスコネクト）５８、及び光ＡＭＰ（アンプ）５９を備える。
トランスポンダ５６は、ＯＴＮフレーマ５６１及び複数の光ＳＣ送受信機５６２を備える。ＯＴＮフレーマ５６１は、図１に示すＯＴＮフレーマ８００の機能を有し、光ＳＣ送受信機５６２は、図１に示す送信機２２０及び受信機２３０の機能を有する。光ＳＣ送受信機５６２は、例えば、ＤＳＰを備えて構成される。各光ＳＣ送受信機５６２はそれぞれ１つのポートにより光信号を出力する。
【００３５】
いずれの光ＳＣ送受信機５４２や光ＳＣ送受信機５６２が故障していない通常運用状態において、各ＮＮＩカード５４及び各トランスポンダ５６は、それぞれ異なる光周波数の光チャネルを使用する。光ＳＣ送受信機５４２を４台備えるＮＮＩカード５４や、光ＳＣ送受信機５４２を４台備えるトランスポンダ５６は、１光チャネルの光信号を４光サブキャリアにより送信する。また、光ＳＣ送受信機５４２を２台備えるＮＮＩカード５４や、光ＳＣ送受信機５６２を２台備えるトランスポンダ５６は、１光チャネルの光信号を２光サブキャリアにより送信する。光伝送装置５０を、ＯＤＵクロスコネクト機能部５１、又は、トランスポンダ５６のいずれかを備えないように構成することもできる。
【００３６】
合分波器５７は、カラーレス機能を有する波長多重機能部であり、光信号のカラーレスＷＤＭ（Wavelength Division Multiplexing：波長分割多重）を行う。合分波器５７には、例えば、光カプラ、ＬＣｏＳ−ＷＳＳ（Liquid Crystal on Silicon - Wavelength Selective Switch）、ＭＥＭＳ−ＷＳＳ（Micro Electro Mechanical Systems - Wavelength Selective Switch）などが用いられる。合分波器５７が備える複数のポートはそれぞれ、ＮＮＩカード５４の各光ＳＣ送受信機５４２のポート及びトランスポンダ５６の各光ＳＣ送受信機５６２のポートと接続される。カラーレス機能によって、ポートと波長の関係は固定的ではなく、可変である。合分波器５７は、各ＮＮＩカード５４の各光ＳＣ送受信機５４２及び各トランスポンダ５６の各光ＳＣ送受信機５６２から受信した光信号を合波して受信側の他の光伝送装置５０に送信する。また、合分波器５７は、送信側の他の光伝送装置５０から受信した光信号を分波して各ＮＮＩカード５４の各光ＳＣ送受信機５４２及び各トランスポンダ５６の各光ＳＣ送受信機５６２に出力する。
波長ＸＣ５８は、合分波器５７から受信した光信号のパスを挿入し、設定方路へ出力する。また、波長ＸＣ５８は、光ＡＭＰ５９から受信した光信号のパスを分岐して合分波器５７に出力する。
光ＡＭＰ５９は、光信号を増幅する。
【００３７】
監視制御部６０は、各部の監視及び制御を行う。監視制御部６０は、機器管理情報記憶部６１、障害検出部６２、及び波長切替部６３を備える。
機器管理情報記憶部６１は、機器管理情報を記憶する。機器管理情報は、構成情報と、各光ＳＣ送受信機５４２及び各光ＳＣ送受信機５６２の稼働状態情報及びサブキャリア情報とを示す。構成情報は、各ＮＮＩカード５４が備える光ＳＣ送受信機５４２と、各トランスポンダ５６が備える光ＳＣ送受信機５６２と、各光ＳＣ送受信機５４２及び各光ＳＣ送受信機５６２が共用予備であるか否かの情報を示す。稼働状態情報は、各光ＳＣ送受信機５４２及び各光ＳＣ送受信機５６２が、通常稼働中、切替稼働中、停止中、あるいは故障中のいずれの稼働状態であるかを示す。サブキャリア情報は、各光ＳＣ送受信機５４２及び各光ＳＣ送受信機５６２が使用する光サブキャリアの識別情報を示す。光サブキャリアの識別情報には、例えば、光サブキャリアの波長を示す情報を用いてもよく、光サブキャリアを特定する番号を用いてもよい。
【００３８】
障害検出部６２は、光サブキャリアの受信状態を監視する。障害検出部６２は、障害を検出した光サブキャリアの情報を送信側の光伝送装置５０に通知する。また、障害検出部６２は、受信側の光伝送装置５０から障害を検出した光サブキャリアの情報を受信した場合、機器管理情報を参照して障害が発生した光サブキャリアを使用しているＳＣ送受信機５４２又は光ＳＣ送受信機５６２を特定する。障害検出部６２は、特定したＳＣ送受信機５４２又は光ＳＣ送受信機５６２に故障が発生したと判断する。なお、障害検出部６２は、自装置内の光ＳＣ送受信機５４２及び光ＳＣ送受信機５６２を監視し、故障を検出してもよい。障害検出部６２は、機器管理情報を参照し、共用予備の光ＳＣ送受信機５４２又は光ＳＣ送受信機５６２の中から、切替先の光ＳＣ送受信機５４２又は光ＳＣ送受信機５６２を選択する。障害検出部６２は、故障が発生した光ＳＣ送受信機５４２を備えるＮＮＩカード５４のＯＴＮフレーマ５４１又は故障が発生した光ＳＣ送受信機５６２を備えるトランスポンダ５６のＯＴＮフレーマ５６１に、故障が発生した光ＳＣ送受信機５４２又は光ＳＣ送受信機５６２の情報と、切替先の光ＳＣ送受信機５４２又は光ＳＣ送受信機５６２の情報を通知する。障害検出部６２は、故障が発生したＳＣ送受信機５４２又は光ＳＣ送受信機５６２の稼働状態を故障中とし、切替先のＳＣ送受信機５４２又は光ＳＣ送受信機５６２の稼働状態を切替稼働中とするよう稼働状態情報を書き換える。
【００３９】
波長切替部６３は、切替先の光ＳＣ送受信機５４２又は切替先の光ＳＣ送受信機５６２に、故障が発生した光ＳＣ送受信機５４２又は光ＳＣ送受信機５６２が使用していた波長を使用するよう指示する。
【００４０】
図６は、通常運用状態におけるＯＤＵＣｎフレーム（信号フレーム）へのパスのマッピングの例を示す図である。同図では、ｎ＝４であり、ＮＮＩカード５４が４台の光ＳＣ送受信機５４２を備える場合を示している。共用予備の光ＳＣ送受信機５４２を備えていないＮＮＩカード５４をＮＮＩカード５４ａと記載し、共用予備の光ＳＣ送受信機５４２を備えるＮＮＩカード５４をＮＮＩカード５４ｂと記載する。そして、ＮＮＩカード５４ａが備えるＯＴＮフレーマ５４１をＯＴＮフレーマ５４１ａと記載し、ＮＮＩカード５４ａが備えるｉ番目の光ＳＣ送受信機５４２を光ＳＣ送受信機５４２ａ−ｉと記載する。また、ＮＮＩカード５４ｂが備えるＯＴＮフレーマ５４１をＯＴＮフレーマ５４１ｂと記載し、ＮＮＩカード５４ｂが備えるｉ番目の光ＳＣ送受信機５４２をそれぞれ光ＳＣ送受信機５４２ｂ−ｉと記載する。光ＳＣ送受信機５４２ｂ−１が共用予備の光ＳＣ送受信機である。光ＳＣ送受信機５４２の故障が発生していない通常運用状態において、光ＳＣ送受信機５４２ａ−ｉは、光チャネルｃｈ１における波長λａｉの１００Ｇの光サブキャリアを使用し、光ＳＣ送受信機５４２ｂ−ｉは、光チャネルｃｈ２における波長λｂｉの１００Ｇの光サブキャリアを使用する。
【００４１】
ＯＤＵＣ４フレームへマッピングされるパスは、クライアント信号に割当てられた論理的なパスであり、１つのＬＯ  ＯＤＵや１つのＯＤＴＵフレームに対応する。ＯＤＵＣ４フレーム内の１．２５ＧのＴＳは、ＯＴＬＣ４．４＃１〜ＯＴＬＣ４．４＃４のいずれにマッピングされるかが予め静的あるいは動的に決められている。同図では、ＯＤＵＣ４フレームの１行目のＴＳがＯＴＬＣ４．４＃１に、２行目のＴＳがＯＴＬＣ４．４＃２に、３行目のＴＳがＯＴＬＣ４．４＃３に、４行目のＴＳがＯＴＬＣ４．４＃４にマッピングされる場合を示している。なお、同図では簡単のため、ＯＴＬＣ４．４＃ｉの１００Ｇ分のＴＳを、１行の１０個のＴＳにより表している。以下では、ＯＴＬＣｎ．ｎ＃ｉにマッピングされるＯＤＵＣｎフレームのＴＳ群を、ＯＴＬＣｎ．ｎ＃ｉの領域と記載する。ＯＴＬＣｎ．ｎ＃ｉのパラレル信号は、ｉ番目の光ＳＣ送受信機５４２から送信される。つまり、ＯＴＮフレーマ５４１ａが使用するＯＤＵＣ４フレームであるＯＤＵＣ４フレームＦａにおいてＯＴＬＣ４．４＃ｉの領域は光ＳＣ送受信機５４２ａ−ｉに対応し、ＯＴＮフレーマ５４１ｂが使用するＯＤＵＣ４フレームであるＯＤＵＣ４フレームＦｂにおいてＯＴＬＣ４．４＃ｉの領域は光ＳＣ送受信機５４２ｂ−ｉに対応する。
【００４２】
同図では、ＯＤＵＣ４フレームＦａにおいて、クライアントＡの１０ＧのパスがＯＴＬＣ４．４＃４の領域に割当てられ、クライアントＢの１００ＧのパスがＯＴＬＣ４．４＃１の領域に割当てられ、クライアントＣの２００ＧのパスがＯＴＬＣ４．４＃２及び＃３の領域に割当てられている。また、ＯＤＵＣ４フレームＦｂにおいて、クライアントＤの１００ＧパスがＯＴＬＣ４．４＃２の領域に割当てられ、クライアントＥの２００ＧのパスがＯＴＬＣ４．４＃３及び＃４の領域に割当てられている。ＯＤＵＣ４フレームＦｂの共用予備の光ＳＣ送受信機５４２ｂ−１に対応したＯＴＬＣ４．４＃１の領域には、パスは割り当てられていない。
【００４３】
ＯＴＮフレーマ５４１ａの光ＳＣ送受信機５４２ａ−１〜５４２ａ−４は、光チャネルｃｈ１の帯域において、クライアントＡ、Ｂ、Ｃのクライアント信号が設定されたパラレル信号を、波長λａ１〜λａ４の光サブキャリアによりマルチキャリア伝送する。ＯＴＮフレーマ５４１ｂの光ＳＣ送受信機５４２ｂ−１〜５４２ｂ−４は、光チャネルｃｈ２の帯域において、波長λｂ１〜λｂ４の光サブキャリアによりクライアントＤ、Ｅのクライアント信号が設定されたパラレル信号をマルチキャリア伝送する。ただし、共用予備のＳＣ送受信機５４２ｂ−１が送信するＯＴＬＣ４．４＃１のパラレル信号には、クライアント信号が設定されていない。なお、ＳＣ送受信機５４２ｂ−１は、通常運用状態では停止とし、光サブキャリアを送信しなくてもよい。
【００４４】
図７は、光ＳＣ送受信機故障時のＯＤＵＣｎフレームへのパスのマッピングの例を示す図である。同図では、図６に示すＮＮＩカード５４ａの光ＳＣ送受信機５４２ａ−３が故障した場合を示している。ＯＴＮフレーマ５４１ａは、ＯＤＵＣ４フレームＦａの光ＳＣ送受信機５４２ａ−３に対応した領域のＴＳに割当てていたパスの割当先を、ＯＴＮフレーマ５４１ｂが使用するＯＤＵＣ４フレームＦｂの切替先の光ＳＣ送受信機５４２ｂ−１に対応した領域のＴＳに変更する。つまり、ＯＴＮフレーマ５４１ａは、クライアントＣのパスが割当てられているＯＤＵＣ４フレームＦａのＴＳのうち、割当先がＯＴＬＣ４．４＃３の領域のＴＳとなっている分を、ＯＤＵＣ４フレームＦｂのＯＴＬＣ４．４＃１の領域のＴＳを割当先にするよう変更する。また、ＮＮＩカード５４ｂの光ＳＣ送受信機５４２ｂ−１は、使用する光サブキャリアの波長を、故障した光ＳＣ送受信機５４２ａ−３が使用していたλａ３に変更する。
【００４５】
これにより、ＯＴＮフレーマ５４１ａの光ＳＣ送受信機５４２ａ−１、５４２ａ−２及び５４２ａ−４、ならびに、ＯＴＮフレーマ５４１ｂの光ＳＣ送受信機５４２ｂ−１は、光チャネルｃｈ１の帯域において、波長λａ１〜λａ４の光サブキャリアによりクライアントＡ、Ｂ、Ｃのクライアント信号が設定されたパラレル信号をマルチキャリア伝送する。一方、ＯＴＮフレーマ５４１ｂの光ＳＣ送受信機５４２ｂ−２〜５４２ｂ−４は、光チャネルｃｈ２の帯域において、波長λｂ２〜λｂ４の光サブキャリアによりクライアントＤ、Ｅのクライアント信号が設定されたパラレル信号をマルチキャリア伝送する。受信側の光伝送装置５０は、波長λａ１〜λａ４の光サブキャリアによりマルチキャリア伝送されたパラレル信号を、光チャネルｃｈ１に対応した１台のＮＮＩカード５４又は１台のトランスポンダ５６により受信できるため、通常運用状態と同様に受信処理を行う。
【００４６】
なお、複数の光ＳＣ送受信機が故障した場合、複数の共用予備の光ＳＣ送受信機を使用してもよい。
図８は、複数光ＳＣ送受信機故障時のＯＤＵＣｎフレームへのパスのマッピングの例を示す図である。同図では、図７に示す状態においてさらにＮＮＩカード５４ａの光ＳＣ送受信機５４２が故障した場合に、ＮＮＩカード５４ｂに加え、共用予備の光ＳＣ送受信機５４２を備える他のＮＮＩカード５４であるＮＮＩカード５４ｃを使用する場合を示している。ＮＮＩカード５４ｃが備えるＯＴＮフレーマ５４１をＯＴＮフレーマ５４１ｃと記載し、ＮＮＩカード５４ｃが備えるｉ番目の光ＳＣ送受信機５４２をそれぞれ光ＳＣ送受信機５４２ｃ−ｉと記載する。通常運用状態において、光ＳＣ送受信機５４２ｃ−ｉは、光チャネルｃｈ３における波長λｃｉの１００Ｇの光サブキャリアを使用する。ＯＴＮフレーマ５４１ｃが使用するＯＤＵＣ４フレームであるＯＤＵＣ４フレームＦｃにおいて、クライアントＦの１００ＧのパスがＯＴＬＣ４．４＃１の領域に割当てられ、クライアントＧの２００ＧのパスがＯＴＬＣ４．４＃２及び＃３の領域に割当てられている。ＯＤＵＣ４フレームＦｃの共用予備の光ＳＣ送受信機５４２ｃ−４に対応したＯＴＬＣ４．４＃４の領域には、パスは割り当てられていない。
【００４７】
図７の状態において、ＮＮＩカード５４ａの光ＳＣ送受信機５４２ａ−１が故障したとする。ＯＴＮフレーマ５４１ａは、ＯＤＵＣ４フレームＦａの光ＳＣ送受信機５４２ａ−１に対応した領域のＴＳに割当てていたパスの割当先を、ＯＴＮフレーマ５４１ｃが使用するＯＤＵＣ４フレームＦｃの切替先の光ＳＣ送受信機５４２ｃ−４に対応した領域のＴＳに変更する。つまり、ＯＴＮフレーマ５４１ａは、クライアントＢのパスの割当先を、ＯＤＵＣ４フレームＦａのＯＴＬＣ４．４＃１の領域のＴＳから、ＯＤＵＣ４フレームＦｃのＯＴＬＣ４．４＃４の領域のＴＳに変更する。また、ＮＮＩカード５４ｃの光ＳＣ送受信機５４２ｃ−４は、使用する光サブキャリアの波長を、故障した光ＳＣ送受信機５４２ａ−１が使用していたλａ１に変更する。これにより、ＯＴＮフレーマ５４１ａの光ＳＣ送受信機５４２ａ−２及び５４２ａ−４、ＯＴＮフレーマ５４１ｂの光ＳＣ送受信機５４２ｂ−１、ならびに、ＯＴＮフレーマ５４１ｃの光ＳＣ送受信機５４２ｃ−４は、光チャネルｃｈ１の帯域において、波長λａ１〜λａ４の光サブキャリアによりクライアントＡ、Ｂ、Ｃのクライアント信号が設定されたパラレル信号をマルチキャリア伝送する。一方、ＯＴＮフレーマ５４１ｂの光ＳＣ送受信機５４２ｂ−２〜５４２ｂ−４は、図７と同様に、光チャネルｃｈ２の帯域において、波長λｂ２〜λｂ４の光サブキャリアによりクライアントＤ、Ｅのクライアント信号が設定されたパラレル信号をマルチキャリア伝送する。ＯＴＮフレーマ５４１ｃの光ＳＣ送受信機５４２ｃ−１〜５４２ｃ−３は、光チャネルｃｈ３の帯域において、波長λｃ１〜λｃ３の光サブキャリアによりクライアントＦ、Ｇのクライアント信号が設定されたパラレル信号をマルチキャリア伝送する。
なお、１台のＮＮＩカード５４が共用予備の光ＳＣ送受信機５４２を複数備えてもよい。
【００４８】
図９は、複数のパラレル信号を１光サブキャリアで送信する場合の通常運用状態のＯＤＵＣｎフレームへのパスのマッピングの例を示す図である。複数のパラレル信号を１光サブキャリアで送信するＮＮＩカード５４は、ｋ台（ｋはｎ未満の整数）の光ＳＣ送受信機５４２を備える。同図では、ｎ＝４、ｋ＝２の場合を示している。共用予備の光ＳＣ送受信機５４２を備えていないＮＮＩカード５４をＮＮＩカード５４ｄと記載し、共用予備の光ＳＣ送受信機５４２を備えるＮＮＩカード５４をＮＮＩカード５４ｅと記載する。そして、ＮＮＩカード５４ｄが備えるＯＴＮフレーマ５４１をＯＴＮフレーマ５４１ｄと記載し、ＮＮＩカード５４ｄが備えるｊ番目（ｊは１以上ｋ以下の整数）の光ＳＣ送受信機５４２を光ＳＣ送受信機５４２ｄ−ｊと記載する。また、ＮＮＩカード５４ｅが備えるＯＴＮフレーマ５４１をＯＴＮフレーマ５４１ｅと記載し、ＮＮＩカード５４ｅが備えるｊ番目の光ＳＣ送受信機５４２をそれぞれ光ＳＣ送受信機５４２ｅ−ｊと記載する。光ＳＣ送受信機５４２ｅ−１が共用予備の光ＳＣ送受信機である。通常運用状態において、光ＳＣ送受信機５４２ｄ−ｊは、光チャネルｃｈ１における波長λｄｊの２００Ｇの光サブキャリアを使用し、光ＳＣ送受信機５４２ｅ−ｊは、光チャネルｃｈ２における波長λｅｊの２００Ｇの光サブキャリアを使用する。
【００４９】
ＯＤＵＣ４フレームの１行目のＴＳはＯＴＬＣ４．４＃１に、２行目のＴＳはＯＴＬＣ４．４＃２に、３行目のＴＳはＯＴＬＣ４．４＃３に、４行目のＴＳはＯＴＬＣ４．４＃４にマッピングされる。ＯＴＬＣ４．４＃１及び＃２のパラレル信号は１番目の光ＳＣ送受信機５４２から送信され、ＯＴＬＣ４．４＃３及び＃４のパラレル信号は２番目の光ＳＣ送受信機５４２から送信される。つまり、ＯＴＮフレーマ５４１ｄが使用するＯＤＵＣ４フレームであるＯＤＵＣ４フレームＦｄにおいて、ＯＴＬＣ４．４＃１及び＃２の領域は光ＳＣ送受信機５４２ｄ−１に対応し、ＯＴＬＣ４．４＃３及び＃４の領域は光ＳＣ送受信機５４２ｄ−２に対応する。ＯＴＮフレーマ５４１ｅが使用するＯＤＵＣ４フレームであるＯＤＵＣ４フレームＦｅにおいて、ＯＴＬＣ４．４＃１及び＃２の領域は光ＳＣ送受信機５４２ｅ−１に対応し、ＯＴＬＣ４．４＃３及び＃４の領域は光ＳＣ送受信機５４２ｅ−２に対応する。
【００５０】
ＯＤＵＣ４フレームＦｄにおいて、クライアントＡの１０ＧのパスがＯＴＬＣ４．４＃４の領域に割当てられ、クライアントＢの１００ＧのパスがＯＴＬＣ４．４＃１の領域に割当てられ、クライアントＣの２００ＧのパスがＯＴＬＣ４．４＃２及び＃３の領域に割当てられている。また、ＯＤＵＣ４フレームＦｅにおいて、クライアントＥの２００ＧのパスがＯＴＬＣ４．４＃３及び＃４の領域に割当てられている。共用予備の光ＳＣ送受信機５４２ｅ−１に対応したＯＴＬＣ４．４＃１及び＃２の領域には、パスは割り当てられていない。
【００５１】
ＯＴＮフレーマ５４１ｄの光ＳＣ送受信機５４２ｄ−１及び５４２ｄ−２はそれぞれ光チャネルｃｈ１の帯域において、クライアントＡ、Ｂ、Ｃのクライアント信号が設定されたパラレル信号を、波長λｄ１及びλｄ２の光サブキャリアによりマルチキャリア伝送する。ＯＴＮフレーマ５４１ｅの光ＳＣ送受信機５４２ｅ−１及び５４２ｅ−２はそれぞれ、光チャネルｃｈ２の帯域において、波長λｅ１及びλｅ２の光サブキャリアによりクライアントＥのクライアント信号が設定されたパラレル信号をマルチキャリア伝送する。ただし、共用予備のＳＣ送受信機５４２ｅ−１が送信するＯＴＬＣ４．４＃１及び＃２のパラレル信号には、クライアント信号が設定されていない。なお、ＳＣ送受信機５４２ｅ−１は、通常運用状態では停止とし、光サブキャリアを送信しなくてもよい。
【００５２】
図１０は、複数のパラレル信号を１光サブキャリアで送信する場合の光ＳＣ送受信機故障時のＯＤＵＣｎフレームへのパスのマッピングの例を示す図である。同図では、図９に示すＮＮＩカード５４ｄの光ＳＣ送受信機５４２ｄ−２が故障した場合を示している。ＯＴＮフレーマ５４１ｄは、ＯＤＵＣ４フレームＦｄの光ＳＣ送受信機５４２ｄ−２に対応した領域のＴＳに割当てていたパスの割当先を、ＯＴＮフレーマ５４１ｅのＯＤＵＣ４フレームＦｅの切替先の光ＳＣ送受信機５４２ｅ−１に対応した領域のＴＳに変更する。同図の場合、ＯＴＮフレーマ５４１ｄは、クライアントＣのパスが割当てられているＯＤＵＣ４フレームＦｄのＴＳのうち、割当先がＯＴＬＣ４．４＃３の領域のＴＳとなっている分を、ＯＤＵＣ４フレームＦｅのＯＴＬＣ４．４＃１の領域に変更する。さらに、ＯＴＮフレーマ５４１ｄは、ＯＤＵＣ４フレームＦｄのＯＴＬＣ４．４＃４の領域のＴＳに割当てられているクライアントＡのパスの割当先を、ＯＤＵＣ４フレームＦｅのＯＴＬＣ４．４＃２の領域のＴＳに変更する。また、ＮＮＩカード５４ｅの光ＳＣ送受信機５４２ｅ−１は、使用する光サブキャリアの波長を、故障した光ＳＣ送受信機５４２ｄ−２が使用していたλｄ２に変更する。
【００５３】
これにより、ＯＴＮフレーマ５４１ｄの光ＳＣ送受信機５４２ｄ−１及びＯＴＮフレーマ５４１ｅの光ＳＣ送受信機５４２ｅ−１は、光チャネルｃｈ１の帯域において、波長λｄ１及びλｄ２の光サブキャリアによりクライアントＡ、Ｂ、Ｃのクライアント信号が設定されたパラレル信号をマルチキャリア伝送する。一方、ＯＴＮフレーマ５４１ｅの光ＳＣ送受信機５４２ｅ−２は、光チャネルｃｈ２の帯域において、波長λｅ２の光サブキャリアによりクライアントＥのクライアント信号が設定されたパラレル信号を伝送する。
【００５４】
上記では、ＮＮＩカード５４の場合について説明したが、トランスポンダ５６の場合も同様である。
【００５５】
通常運用状態において、各ＮＮＩカード及び各トランスポンダは、それぞれ異なる光周波数（波長）の光チャネルを使用している。１台のＮＮＩカードや１台のトランスポンダにおいて複数の光サブキャリアを波長多重して１つのポートから合分波器に出力する場合、一部の光サブキャリアの波長が変更されると、合分波器において信号が遮断されてしまう。従って、光サブキャリア毎に任意の波長を設定することはできなかった。しかし、光サブキャリアの波長を変えずに複数のＮＮＩカードやトランスポンダを跨いで異なる光チャネルによって一つのＯＴＵＣｎ信号を送信しようとした場合、異なる光チャネル間で遅延差を吸収する必要がある。そのため、光伝送装置に、大きな遅延調整機能を光サブキャリア毎に追加しなければならない。
本実施形態では、ＮＮＩカード５４及びトランスポンダ５６は、各光サブキャリアをそれぞれ異なるポートから出力し、出力された各光サブキャリアは、カラーレス機能を実装した合分波器５７において合波される。従って、光伝送装置５０は、いずれかの光ＳＣ送受信機５４２または光ＳＣ送受信機５６２に故障が発生した場合、ＮＮＩカード５４の共用予備の送受信機５４２またはトランスポンダ５６の光ＳＣ送受信機５６２が使用する光サブキャリアの波長を、故障が発生した光ＳＣ送受信機５４２または光ＳＣ送受信機５６２が使用している波長に変更することにより、複数のＮＮＩカード５４または複数のトランスポンダ５６を跨いで一つのＯＴＵＣｎ信号を送信することができる。これにより、光サブキャリアに対して予備共用度の高いプロテクションが実現できる。
【００５６】
図１１は、光伝送装置５０が備えるＮＮＩカード５４の送信に関する機能ブロックを示す図である。２つのＮＮＩカード５４は、図６及び図７に示すＮＮＩカード５４ａ（第一光信号送信部）及びＮＮＩカード５４ｂ（第二光信号送信部）である。図８に示すＮＮＩカード５４ｃは、ＮＮＩカード５４ｂと同様の構成である。同図において、図１に示すフレーマ８００及び図５に示す光伝送装置５０と同一の部分には同一の符号を付し、その説明を省略する。同図では、ｎ＝４の場合を例に示している。
【００５７】
ＮＮＩカード５４ａは、ＯＴＮフレーマ５４１ａ及び光ＳＣ送受信機５４２ａ−１〜５４２ａ−ｎを備える。図９に示すＮＮＩカード５４ｄの場合、ＮＮＩカード５４ａにおいてｋ台の光ＳＣ送受信機５４２を備える構成である。ＯＴＮフレーマ５４１ａは、多重処理部１３０ａ（第一多重処理部）及びライン側送信処理部１４０（第一パラレル信号生成部）を備える。多重処理部１３０ａは、多重化部１３１ａ及びフレーミング部１３２を備える。多重化部１３１ａは、図１に示す多重化部１３１と同様の機能を有する。さらに、多重化部１３１ａは、故障が発生した光ＳＣ送受信機５４２ａ−ｉに対応したＯＤＵＣｎフレームの領域に割当てられているパスを、ＮＮＩカード５４ｂの切替先の光ＳＣ送受信機５４２ｂ−ｉに対応したＯＤＵＣｎフレームの領域に割当てる。光ＳＣ送受信機５４２ａ−１〜５４２ａ−ｎは、送信機２２０を備える。
【００５８】
ＮＮＩカード５４ｂは、ＯＴＮフレーマ５４１ｂ及び光ＳＣ送受信機５４２ｂ−１〜５４２ｂ−ｎを備える。図９に示すＮＮＩカード５４ｅの場合、ＮＮＩカード５４ｂにおいてｋ台の光ＳＣ送受信機５４２を備える構成である。ＯＴＮフレーマ５４１ｂは、多重処理部１３０ｂ（第二多重処理部）及びライン側送信処理部１４０（第二パラレル信号生成部）を備える。多重処理部１３０ｂは、多重化部１３１ｂ及びフレーミング部１３２を備える。多重化部１３１ｂは、図１に示す多重化部１３１と同様の機能を有する。さらに、多重化部１３１ｂは、ＯＴＮフレーマ５４１ａにおいて故障が発生した光ＳＣ送受信機５４２ａ−ｉに対応したＯＤＵＣｎフレームの領域に割当てられているパスを、ＮＮＩカード５４ｂの切替先の光ＳＣ送受信機５４２ｂ−ｉに対応したＯＤＵＣｎフレームの領域に割当てる。多重化部１３１ｂは、ＯＴＮフレーマ５４１ａから故障が発生した光ＳＣ送受信機５４２ａ−ｉに対応したＯＤＵＣｎフレームの領域に割当てられていたパスの信号を受信し、切替先の光ＳＣ送受信機５４２ｂ−ｉに対応したＯＤＵＣｎフレームの領域に設定する。光ＳＣ送受信機５４２ｂ−１〜５４２ｂ−ｎは、送信機２２０を備える。
【００５９】
図１２は、光伝送装置５０が備えるトランスポンダ５６の送信に関する機能ブロックを示す図である。同図において、図１に示すフレーマ８００、図５に示す光伝送装置５０、及び、図１１に示す光伝送装置５０と同一の部分には同一の符号を付し、その説明を省略する。同図では、ｎ＝４の場合を例に示している。共用予備の光ＳＣ送受信機５６２を備えていないトランスポンダ５６をトランスポンダ５６ａと記載し、共用予備の光ＳＣ送受信機５６２を備えるトランスポンダ５６をトランスポンダ５６ｂと記載する。光ＳＣ送受信機５６２は、送信機２２０を備える。トランスポンダ５６ａのＯＴＮフレーマ５６１ａは、クライアント信号受信部１２０、多重処理部１３０ａ、及びライン側送信処理部１４０を備える。トランスポンダ５６ｂのＯＴＮフレーマ５６１ｂは、クライアント信号受信部１２０、多重処理部１３０ｂ、及びライン側送信処理部１４０を備える。
【００６０】
なお、光ＳＣ送受信機５４２や光ＳＣ送受信機５６４の変調方式が可変である場合、その変調方式により光サブキャリアの帯域が変わる。例えば、ＱＰＳＫ変調の場合、１光サブキャリアは１００Ｇであり、８ＱＡＭ変調の場合、１光サブキャリアは１５０Ｇであり、１６ＱＡＭ変調の場合、１光サブキャリアは２００Ｇとなる。そのため、物理的にｎ台の光ＳＣ送受信機５４２や光ＳＣ送受信機５６４を備えておき、それらの変調方式を変えることによりｋ台の光ＳＣ送受信機５４２や光ＳＣ送受信機５６４を備えるように動作させることができる。
【００６１】
図１３は、光ＳＣ送受信機故障時の送信側の光伝送装置５０における処理フローである。以下では、ＮＮＩカード５４ａにおいて光ＳＣ送受信機５４２ａ−ｉが故障した場合を例に説明する。
受信側の光伝送装置５０において、障害検出部６２は受信した光サブキャリアの障害を検出する。受信側の光伝送装置５０の障害検出部６２は、障害が発生した光サブキャリアの情報を、送信側の光伝送装置５０に通知する。通知は、制御信号送受信用のネットワークを使用してもよく、受信側の光伝送装置５０が送信側の光伝送装置５０に送信するパラレル信号のＯＨの空き領域を使用してもよい。送信側の光伝送装置５０の障害検出部６２は、受信側の光伝送装置５０から障害が発生した光サブキャリアの情報を受信する。障害検出部６２は、機器管理情報記憶部６１に記憶されている機器管理情報内のサブキャリア情報を参照し、通知を受けた光サブキャリアを使用しているＳＣ送受信機５４２を特定する。障害検出部６２は、特定した光ＳＣ送受信機５４２の故障を検出する（ステップＳ１０）。故障が検出されたＳＣ送受信機５４２が、光ＳＣ送受信機５４２ａ−３であったとする。障害検出部６２は、機器管理情報内の稼働状態情報に設定されている光ＳＣ送受信機５４２ａ−３の稼働状態を故障中に更新する。
【００６２】
障害検出部６２は、機器管理情報記憶部６１に記憶されている機器管理情報を参照し、切替先の光ＳＣ送受信機を選択する（ステップＳ１５）。具体的には、障害検出部６２は、構成情報に共用予備であることが設定されている光ＳＣ送受信機５４２のうち、稼働状態情報に通常稼働中、または、停止中が設定されている光ＳＣ送受信機５４２を１つ選択する。選択された切替先の光ＳＣ送受信機が、ＮＮＩカード５４ｂの光ＳＣ送受信機５４２ｂ−１であったとする。障害検出部６２は、機器管理情報内の稼働状態情報に設定されている光ＳＣ送受信機５４２ｂ−１の稼働状態を切替稼働中に更新する。
【００６３】
障害検出部６２は、ＮＮＩカード５４ａのＯＴＮフレーマ５４１ａに、光ＳＣ送受信機５４２ａ−３の故障と、ＮＮＩカード５４ｂの光ＳＣ送受信機５４２ｂ−１が切替先である旨を通知する（ステップＳ２０）。さらに、障害検出部６２は、ＮＮＩカード５４ｂのＯＴＮフレーマ５４１ｂに、光ＳＣ送受信機５４２ｂ−１が切替先である旨を通知してもよい。波長切替部６３は、故障が発生した光ＳＣ送受信機５４２ａ−３が使用している波長λａ３を機器管理情報内のサブキャリア情報から読み出す。波長切替部６３は、ＮＮＩカード５４ｂが備える切替先の光ＳＣ送受信機５４２ｂ−１に、使用する光サブキャリアの波長をλａ３とするよう指示する（ステップＳ２５）。光ＳＣ送受信機５４２ｂ−１は、光サブキャリアの波長を、λｂ１からλａ３に変更する。なお、波長切替部６３は、切替先の光ＳＣ送受信機５４２ｂ−１が停止中である場合、光ＳＣ送受信機５４２ｂ−１を起動した後、波長λａ３を使用するよう指示する。
【００６４】
ＮＮＩカード５４ａのＯＴＮフレーマ５４１ａにおける多重化部１３１ａは、故障が通知された光ＳＣ送受信機５４２ａ−３に対応したＯＴＬＣ４．４＃３の領域を含んでＯＤＵＣ４フレームのＴＳにマッピングされているクライアントＣのパスを特定する。ＯＴＮフレーマ５４１ａは、クライアントＣのパスが割当てられているＯＤＵＣ４フレームＦａのＴＳのうち、割当先がＯＴＬＣ４．４＃３の領域のＴＳとなっている分を、切替先の光ＳＣ送受信機５４２ｂ−１に対応した領域のＴＳを割当先にするよう変更する（ステップＳ３０）。さらに、ＯＴＮフレーマ５４１ｂの多重化部１３１ｂは、ＯＴＮフレーマ５４１−ｓ１の多重化部１３１ａからの通知を受け、クライアントＣのパスの割り当て先を、切替先の光ＳＣ送受信機５４２ｂ−１に対応した領域のＴＳに割当てるよう変更する。光ＳＣ送受信機５４２ｂ−１に対応した領域は、ＯＴＮフレーマ５４１ｂが使用するＯＤＵＣ４フレームＦｂのＯＴＬＣ４．４＃１の領域である。このＴＳ割当ての変更により、故障した光ＳＣ送受信機５４２ａ−３の収容トラヒックを、切替先の光ＳＣ送受信機５４２ｂ−１に切替える。
【００６５】
ＴＳ割当ての変更後、ＮＮＩカード５４ａの多重化部１３１ａは、クライアントＡの１０Ｇのクライアント信号を多重処理部１３０ａが使用するＯＤＵＣ４フレームＦａのＯＴＬＣ４．４＃４の領域に、クライアントＢの１００Ｇのクライアント信号をＯＤＵＣ４フレームＦａのＯＴＬＣ４．４＃１の領域にマッピングする。さらに、多重化部１３１ａは、クライアントＣの２００Ｇのクライアント信号のうち１００Ｇ分をＯＤＵＣ４フレームＦａのＯＴＬＣ４．４＃２の領域に、残りの１００Ｇ分を多重処理部１３０ｂが使用するＯＤＵＣ４フレームＦｂのＯＴＬＣ４．４＃１の領域にマッピングする。また、ＮＮＩカード５４ｂの多重化部１３１ｂは、クライアントＤの１００Ｇのクライアント信号をＯＤＵＣ４フレームＦｂのＯＴＬＣ４．４＃２の領域に、クライアントＥの２００Ｇのクライアント信号をＯＤＵＣ４フレームＦｂのＯＴＬＣ４．４＃３及び＃４の領域にマッピングする。
【００６６】
ＮＮＩカード５４ａのフレーミング部１３２は、多重処理部１３０ａがクライアント信号を設定したＯＤＵＣ４フレームＦａにＯＨとＦＥＣを付加してＯＴＵＣ４フレームを生成する。ＮＮＩカード５４ａのライン側送信処理部１４０は、クライアントＢのクライアント信号が設定されたＯＴＬＣ４．４＃１のパラレル信号を光ＳＣ送受信機５４２ａ−１に出力し、クライアントＣのクライアント信号の一部が設定されたＯＴＬＣ４．４＃２のパラレル信号を光ＳＣ送受信機５４２ａ−２に出力し、クライアントＡのクライアント信号が設定されたＯＴＬＣ４．４＃４のパラレル信号を光ＳＣ送受信機５４２ａ−４に出力する。
一方、ＮＮＩカード５４ｂのフレーミング部１３２は、多重処理部１３０ｂがクライアント信号を設定したＯＤＵＣ４フレームＦｂにＯＨとＦＥＣを付加してＯＴＵＣ４フレームを生成する。ＮＮＩカード５４ｂのライン側送信処理部１４０は、クライアントＣの残りのクライアント信号が設定されたＯＴＬＣ４．４＃１のパラレル信号を光ＳＣ送受信機５４２ｂ−１に出力し、クライアントＤのクライアント信号が設定されたＯＴＬＣ４．４＃２のパラレル信号を光ＳＣ送受信機５４２ｂ−２に出力し、クライアントＥのクライアント信号の一部が設定されたＯＴＬＣ４．４＃３のパラレル信号を光ＳＣ送受信機５４２ｂ−３に出力し、クライアントＥの残りのクライアント信号が設定されたＯＴＬＣ４．４＃４のパラレル信号を光ＳＣ送受信機５４２ｂ−４に出力する。
上記により、ＯＴＮフレーマ５４１ａの光ＳＣ送受信機５４２ａ−１、５４２ａ−２、及び５４２ａ−４、ならびに、ＯＴＮフレーマ５４１ｂの光ＳＣ送受信機５４２ｂ−１は、光チャネルｃｈ１の帯域において、波長λａ１〜λａ４の光サブキャリアによりクライアントＡ、Ｂ、Ｃのクライアント信号が設定されたパラレル信号を送信する。そして、ＯＴＮフレーマ５４１ｂの光ＳＣ送受信機５４２ｂ−２〜５４２ｂ−４は、光チャネルｃｈ２の帯域において、波長λｂ２〜λｂ４の光サブキャリアによりクライアントＤ、Ｅのクライアント信号が設定されたパラレル信号をマルチキャリア伝送する。
【００６７】
なお、共用予備の光ＳＣ送受信機５４２を備えるＮＮＩカード５４において、共用予備以外の光ＳＣ送受信機５４２が故障した場合に、そのＮＮＩカード５４が備える共用予備の光ＳＣ送受信機５４２を切替先として使用してもよい。例えば、通常運用状態からＮＮＩカード５４ｂの光ＳＣ送受信機５４２ｂ−２の故障が発生した場合、波長切替部６３は、光ＳＣ送受信機５４２ｂ−１に波長λｂ２の使用を指示する。ＯＴＮフレーマ５４１ｂにおける多重化部１３１ｂは、ＯＤＵＣ４フレームＦｂの光ＳＣ送受信機５４２ｂ−２に対応したＯＴＬＣ４．４＃２の領域にマッピングされているクライアントＤのパスを特定する。多重化部１３１ｂは、クライアントＤのパスの割当先を、ＯＴＬＣ４．４＃２の領域のＴＳからＯＴＬＣ４．４＃１の領域に変更する。
【００６８】
上記では、ＮＮＩカード５４の光ＳＣ送受信機５４２が故障した場合を例に説明したが、トランスポンダ５６の光ＳＣ送受信機５６２が故障した場合も同様の処理である。また、ＮＮＩカード５４がトランスポンダ５６の光ＳＣ送受信機５６２を共用予備として使用してもよく、トランスポンダ５６がＮＮＩカード５４の光ＳＣ送受信機５４２を共用予備として使用してもよい。
【００６９】
また、予め共用予備の光ＳＣ送受信機５４２や光ＳＣ送受信機５６２を定めず、対応するＯＤＵＣｎフレームの領域にクライアントのパスが割り当てられていない光ＳＣ送受信機５４２や光ＳＣ送受信機５６２を切替先として選択してもよい。
【００７０】
なお、本実施形態では、１光チャネルがｎ×１００Ｇ、パラレル信号が１００Ｇの場合を例に説明したが、１光チャネルの帯域や、パラレル信号の帯域は任意とすることができる。
【００７１】
以上説明した実施形態によれば、光伝送装置は、ＮＮＩカード又はトランスポンダである光信号送信部を複数備える。光伝送装置は、光信号送信部が備える送信機の故障を検出すると、共用予備の送信機を故障した送信機のトラヒックの切替先とし、切替先の送信機に、故障した送信機が光サブキャリアの送信に使用している波長の使用を指示する。送信機の故障が発生した光信号送信部は、１以上のクライアントから受信したクライアント信号の一部を、切替先の送信機を備えた光信号送信部に出力する。送信機の故障が発生した光信号送信部のフレーマは、切替先の送信機を備えた光信号送信部に出力した一部を除くクライアント信号に基づいてパラレル信号を生成し、故障が発生していない当該光信号送信部の送信機に出力する。切替先の送信機を備えた光信号送信部のフレーマは、故障が発生した送信機を備えた光信号送信部から受信したクライアント信号に基づいてパラレル信号を生成し、切替先の送信機に出力する。
これにより、複数の光信号送信部を跨いで一つのＯＴＵＣｎ信号を送信することができる。よって、光サブキャリアに対して予備共用度の高いプロテクションを実現することができる。
【００７２】
上述した実施形態におけるＯＴＮフレーマ５２１、ＯＴＮフレーマ５４１、及び監視制御部６０の一部または全ての機能をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００７３】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００７４】
大容量光伝送に利用可能である。
【符号の説明】
【００７５】
５０  光伝送装置
５１  ＯＤＵクロスコネクト機能部
５２  ＵＮＩカード
５３  ＯＤＵ−ＸＣ
５４、５４ａ、５４ｂ、５４ｃ、５４ｄ、５４ｅ  ＮＮＩカード
５５  光伝送機能部
５６、５６ａ、５６ｂ  トランスポンダ
５７  合分波器
５８  波長ＸＣ
５９  光ＡＭＰ
６０  監視制御部
６１  機器管理情報記憶部
６２  障害検出部
６３  波長切替部
１１０  送信処理部
１２０  クライアント信号受信部
１２１  受信部
１２２  マッピング部
１２３  ＯＨ処理部
１３０、１３０ａ、１３０ｂ  多重処理部
１３１、１３１ａ、１３１ｂ  多重化部
１３２  フレーミング部
１４０  ライン側送信処理部
１４１  インタリーブ部
１４２−１、１４２−２、１４２−３、１４２−４  ＯＨ処理部
１４３−１、１４３−２、１４３−３、１４３−４  マルチレーン送信部
１５０  受信処理部
１６０  ライン側受信処理部
１６１−１、１６１−２、１６１−３、１６１−４  マルチレーン受信部
１６２−１、１６２−２、１６２−３、１６２−４  ＯＨ処理部
１６３  デインタリーブ部
１７０  分離処理部
１７１  デフレーミング部
１７２  逆多重化部
１８０  クライアント信号送信部
１８１  ＯＨ処理部
１８２  デマッピング部
１８３  送信部
２１０  ＯＤＵ−ＳＷ
２２０  送信機
２３０  受信機
５２１  ＯＴＮフレーマ
５４１、５４１ａ、５４１ｂ、５４１ｃ、５４１ｄ、５４１ｅ  ＯＴＮフレーマ
５４２、５４２ａ−１、５４２ａ−２、５４２ａ−３、５４２ａ−４、５４２ｂ−１、５４２ｂ−２、５４２ｂ−３、５４２ｂ−４、５４２ｃ−１、５４２ｃ−２、５４２ｃ−３、５４２ｃ−４、５４２ｄ−１、５４２ｄ−２、５４２ｅ−１、５４２ｅ−２  光ＳＣ送受信機
５６１、５６１ａ、５６１ｂ  ＯＴＮフレーマ
５６２  光ＳＣ送受信機
８００  ＯＴＮフレーマ
【図１】
0006335110.tif 000002
【図２】
0006335110.tif 000003
【図３】
0006335110.tif 000004
【図４】
0006335110.tif 000005
【図５】
0006335110.tif 000006
【図６】
0006335110.tif 000007
【図７】
0006335110.tif 000008
【図８】
0006335110.tif 000009
【図９】
0006335110.tif 000010
【図１０】
0006335110.tif 000011
【図１１】
0006335110.tif 000012
【図１２】
0006335110.tif 000013
【図１３】
0006335110.tif 000014